(57)【要約】【課題】省エネルギーとなる設定値の変更ができるようにする。【解決手段】第１消費エネルギー算出部１０２が、対象となる空調空間に対して定められている温熱環境の設定値をより高温へと変更した場合の第１消費エネルギー量を算出し、第２消費エネルギー算出部１０３が、対象となる空調空間に対して定められている温熱環境の設定値をより低温へと変更した場合の第２消費エネルギー量を算出し、算出された第１消費エネルギー量と第２消費エネルギー量との大小を各々比較し、第１消費エネルギー量の方が小さい場合は、温熱環境の設定値のより高温への変更を提示し、第２消費エネルギー量の方が小さい場合は、温熱環境の設定値のより低温への変更を提示する。【選択図】  図１Ａ
2016080197.tif 000002
【特許請求の範囲】
【請求項１】
対象となる空調空間に対して定められている温熱環境の設定値をより高温へと変更した場合に、前記空調空間の空調設備が消費する第１消費エネルギー量を算出する第１消費エネルギー算出部と、
前記空調空間に対して定められている温熱環境の設定値をより低温へと変更した場合に、前記空調設備が消費する第２消費エネルギー量を算出する第２消費エネルギー算出部と、
前記第１消費エネルギー量と前記第２消費エネルギー量との大小を各々比較する比較部と、
前記比較部による比較で、前記第１消費エネルギー量の方が小さい場合は、前記温熱環境の設定値のより高温への変更を提示し、前記第２消費エネルギー量の方が小さい場合は、前記温熱環境の設定値のより低温への変更を提示する提示部と
を備える設定値変更装置。
【請求項２】
設定された将来の期間における気象予報データを取得する気象データ取得部と、
前記期間における対象となる空調空間の室内負荷を予測する室内負荷予測部と、
前記気象データ取得部が取得した気象予報データおよび前記室内負荷予測部が予測した室内負荷予測を用いた、前記空調空間に対して定められている温熱環境の現在の設定値を変更設定値に変更した場合の、前記期間における前記空調空間の空調設備が消費する消費エネルギーのシミュレーション値が最小となる前記変更設定値を求める最適値算出部と、
前記最適値算出部が求めた前記変更設定値を提示する提示部と
を備える設定値変更装置。
【請求項３】
対象となる空調空間に対して定められている温熱環境の設定値をより高温へと変更した場合の第１消費エネルギー量を算出する第１ステップと、
対象となる空調空間に対して定められている温熱環境の設定値をより低温へと変更した場合の第２消費エネルギー量を算出する第２ステップと、
前記第１消費エネルギー量と前記第２消費エネルギー量との大小を各々比較する第３ステップと、
前記第３ステップの比較で、前記第１消費エネルギー量の方が小さい場合は、前記温熱環境の設定値のより高温への変更を提示し、前記第２消費エネルギー量の方が小さい場合は、前記温熱環境の設定値のより低温への変更を提示する第４ステップと
を備える設定値変更方法。
【請求項４】
設定された将来の期間における気象予報データを取得する第１ステップと、
前記期間における対象となる空調空間の室内負荷を予測する第２ステップと、
前記第１ステップで取得した気象予報データおよび前記第２ステップで予測した室内負荷予測を用いた、前記空調空間に対して定められている温熱環境の現在の設定値を変更設定値に変更した場合の前記期間における前記空調空間の空調設備が消費する消費エネルギーのシミュレーション値が最小となる前記変更設定値を求める第３ステップと、
前記第３ステップで求めた前記変更設定値を提示する第４ステップと
を備える設定値変更方法。
【発明の詳細な説明】
【技術分野】
【０００１】
本発明は、省エネルギーとなる空調の設定値を提示する設定値変更装置および方法に関する。
【背景技術】
【０００２】
建物の空調は、居住者や建物管理者が、必要に応じて室温設定値を自由に変更できるものがある（特許文献１参照）。居住者や建物管理者は、省エネルギーや節電を意図し、冷房であれば室温設定値をより高くし、暖房であれば室温設定値をより低くしている。明らかに外気温度が高い状態で冷房している場合、あるいは、明らかに外気温度が低い状態で暖房している場合には、冷房であれば室温設定値をより高くし、暖房であれば室温設定値をより低くすることで、省エネルギーになる。
【先行技術文献】
【特許文献】
【０００３】
【特許文献１】特開２００８−２８６４４５号公報
【発明の概要】
【発明が解決しようとする課題】
【０００４】
しかしながら、中間期で室温と外気温度との間に差が少ない場合や、冬期であっても冷房状態としている場合は、直感的な省エネルギーとなる設定値の変更方向が、必ずしも省エネルギーになるとは限らない。
【０００５】
例えば、最近の気密性の高い建物では、冬期であっても、室内負荷は冷房条件であることが多い。このような建物では、室内温度よりも低い温度の外気を室内に供給して空調を行う。外気温度が０℃前後など相当に低い場合は、適切な温度の冷風を供給するために加熱する（第１条件）。一方、外気温度が１０℃前後であれば、取り込む外気と室内からの還気を混合させ、適切な温度として室内に供給する（第２条件）。
【０００６】
第１条件では、室内温度設定を下げることで、加熱が減少することが期待できるので、室内温度設定を下げることは確かに省エネルギーとなる。一方、第２条件では、室内温度を下げるためには、室内への給気温度を下げるか、給気風量を増加させることになる。外気と還気の混合比率の調整により、設定条件にまで給気温度を下げることができれば消費エネルギーに変化はない。しかしながら、外気と還気の混合比率の調整のみでは、給気温度を設定条件にまで低下させることができない場合、給気風量を増加させることとなる。このように、給気風量を増加させる状態では、給気ファンの動力が増加することになり、設定値を下げることが、省エネルギーにはならない。
【０００７】
本発明は、以上のような問題点を解消するためになされたものであり、省エネルギーとなる設定値の変更ができるようにすることを目的とする。
【課題を解決するための手段】
【０００８】
本発明に係る設定値変更装置は、対象となる空調空間に対して定められている温熱環境の設定値をより高温へと変更した場合に、空調空間の空調設備が消費する第１消費エネルギー量を算出する第１消費エネルギー算出部と、空調空間に対して定められている温熱環境の設定値をより低温へと変更した場合に、空調設備が消費する第２消費エネルギー量を算出する第２消費エネルギー算出部と、第１消費エネルギー量と第２消費エネルギー量との大小を各々比較する比較部と、比較部による比較で、第１消費エネルギー量の方が小さい場合は、温熱環境の設定値のより高温への変更を提示し、第２消費エネルギー量の方が小さい場合は、温熱環境の設定値のより低温への変更を提示する提示部とを備える。
【０００９】
また、本発明に係る設定値変更装置は、設定された将来の期間における気象予報データを取得する気象データ取得部と、期間における対象となる空調空間の室内負荷を予測する室内負荷予測部と、気象データ取得部が取得した気象予報データおよび室内負荷予測部が予測した室内負荷予測を用いた、空調空間に対して定められている温熱環境の現在の設定値を変更設定値に変更した場合の、期間における空調空間の空調設備が消費する消費エネルギーのシミュレーション値が最小となる変更設定値を求める最適値算出部と、最適値算出部が求めた変更設定値を提示する提示部とを備える。
【００１０】
また、本発明に係る設定値変更方法は、対象となる空調空間に対して定められている温熱環境の設定値をより高温へと変更した場合の第１消費エネルギー量を算出する第１ステップと、対象となる空調空間に対して定められている温熱環境の設定値をより低温へと変更した場合の第２消費エネルギー量を算出する第２ステップと、第１消費エネルギー量と第２消費エネルギー量との大小を各々比較する第３ステップと、第３ステップの比較で、第１消費エネルギー量の方が小さい場合は、温熱環境の設定値のより高温への変更を提示し、第２消費エネルギー量の方が小さい場合は、温熱環境の設定値のより低温への変更を提示する第４ステップとを備える。
【００１１】
また、本発明に係る設定値変更方法は、設定された将来の期間における気象予報データを取得する第１ステップと、期間における対象となる空調空間の室内負荷を予測する第２ステップと、第１ステップで取得した気象予報データおよび第２ステップで予測した室内負荷予測を用いた、空調空間に対して定められている温熱環境の現在の設定値を変更設定値に変更した場合の期間における空調空間の空調設備が消費する消費エネルギーのシミュレーション値が最小となる変更設定値を求める第３ステップと、第３ステップで求めた変更設定値を提示する第４ステップとを備える。
【発明の効果】
【００１２】
以上説明したことにより、本発明によれば、省エネルギーとなる設定値の変更ができるようになるという優れた効果が得られる。
【図面の簡単な説明】
【００１３】
【図１Ａ】図１Ａは、本発明の実施の形態１における設定値変更装置の構成を示す構成図である。
【図１Ｂ】図１Ｂは、本発明の実施の形態１における設定値変更装置の一部構成を示す構成図である。
【図２】図２は、本発明の実施の形態１における設定値変更方法を説明するためのフローチャートである。
【図３】図３は、本発明の実施の形態２における設定値変更装置の構成を示す構成図である。
【図４】図４は、本発明の実施の形態１における設定値変更方法を説明するためのフローチャートである。
【発明を実施するための形態】
【００１４】
以下、本発明の実施の形態について図を参照して説明する。
【００１５】
［実施の形態１］
はじめに、本発明の実施の形態１について図１Ａ，図１Ｂを用いて説明する。図１Ａ，図１Ｂは、本発明の実施の形態１における設定値変更装置の構成を示す構成図である。この装置は、計測値取得部１０１，第１消費エネルギー算出部１０２，第２消費エネルギー算出部１０３，比較部１０４，提示部１０５を備える。
【００１６】
計測値取得部１０１は、対象となる空調空間の空調設備における計測値を取得する。例えば、外気温度、室内温度、給気温度、熱媒体の供給量など、各々のセンサーが測定している計測値を取得する。
【００１７】
第１消費エネルギー算出部１０２は、対象となる空調空間に対して定められている温熱環境の設定値をより高温へと変更した場合に、空調空間の空調設備が消費する第１消費エネルギー量を算出する。また、第２消費エネルギー算出部１０３は、空調空間に対して定められている温熱環境の設定値をより低温へと変更した場合に、空調設備が消費する第２消費エネルギー量を算出する。室内負荷想定値、および計測値取得部１０１が取得した現状の計測値をもとに、設定値を変更した場合の各消費エネルギー量を算出する。例えば、空調設備で消費される電力量を消費エネルギー量とすればよい。
【００１８】
比較部１０４は、第１消費エネルギー量と第２消費エネルギー量との大小を各々比較する。提示部１０５は、比較部１０４による比較で、第１消費エネルギー量の方が小さい場合は、温熱環境の設定値のより高温への変更を提示し、第２消費エネルギー量の方が小さい場合は、温熱環境の設定値のより低温への変更を提示する。
【００１９】
提示部１０５は、例えば、図１Ｂに示すように、表示部１５１を備える。表示部１５１は、設定値表示部１５２，より高温への変更を提示する変更方向表示１５３，より低温への変更を提示する変更方向表示１５４を備える。図１Ｂの例では、変更方向表示１５４が点灯している状態を示している。
【００２０】
次に、本発明の実施の形態１における設定値変更方法について、図２のフローチャートを用いて説明する。まず、第１ステップＳ２０１で、外気温度、室内温度、給気温度、熱媒体の供給量などの対象となる空調空間の空調設備における計測値を取得する。
【００２１】
次に、ステップＳ２０２で、第１消費エネルギー算出部１０２が、対象となる空調空間に対して定められている温熱環境の設定値をより高温へと変更した場合の第１消費エネルギー量を算出する（第１ステップ）。次に、ステップＳ２０３で、第２消費エネルギー算出部１０３が、対象となる空調空間に対して定められている温熱環境の設定値をより低温へと変更した場合の第２消費エネルギー量を算出する（第２ステップ）。
【００２２】
次に、ステップＳ２０４で、算出された第１消費エネルギー量と第２消費エネルギー量との大小を各々比較する（第３ステップ）。この比較で、第１消費エネルギー量の方が小さい場合（ステップＳ２０４のｙ）、ステップＳ２０５で、温熱環境の設定値のより高温への変更を提示する。一方、上記比較で、第２消費エネルギー量の方が小さい場合（ステップＳ２０４のｎ）、ステップＳ２０６で、温熱環境の設定値のより低温への変更を提示する（第４ステップ）。
【００２３】
以上に説明した実施の形態１によれば、より省エネルギーとなる設定値の変更方向が提示されるので、省エネルギーとなる設定値の変更ができるようになる。
【００２４】
［実施の形態２］
次に、本発明の実施の形態２について図３を用いて説明する。図３は、本発明の実施の形態２における設定値変更装置の構成を示す構成図である。この装置は、気象データ取得部３０１，室内負荷予測部３０２，最適値算出部３０３，提示部３０４を備える。
【００２５】
気象データ取得部３０１は、設定された将来の期間における気象予報データを取得する。室内負荷予測部３０２は、上述した期間における対象となる空調空間の室内負荷を予測する。最適値算出部３０３は、気象データ取得部３０１が取得した気象予報データおよび室内負荷予測部３０２が予測した室内負荷予測を用いたシミュレーション値が、最小となる変更設定値を求める。ここで、シミュレーション値は、期間における空調空間の空調設備が消費する消費エネルギーの値である。例えば、空調設備で消費される電力量を消費エネルギー量の値である。
【００２６】
また、最適値算出部３０３は、上記空調空間に対して定められている温熱環境の現在の設定値を変更設定値に変更した場合について、シミュレーション値を求める。このようにして最適値算出部３０３が求めた変更設定値が、提示部３０４により提示される。
【００２７】
次に、本発明の実施の形態２における設定値変更方法について、図４のフローチャートを用いて説明する。まず、ステップＳ４０１で、気象データ取得部３０１が、設定された将来の期間における気象予報データを取得する（第１ステップ）。次に、ステップＳ４０２で、室内負荷予測部３０２が、上記期間における対象となる空調空間の室内負荷を予測する（第２ステップ）。
【００２８】
次に、ステップＳ３０３で、最適値算出部３０３が、ステップＳ４０１で取得した気象予報データおよびステップＳ４０２で予測した室内負荷予測を用いた、空調空間に対して定められている温熱環境の現在の設定値を変更設定値に変更した場合の上記期間における空調空間の空調設備が消費する消費エネルギーのシミュレーション値が最小となる変更設定値を求める（第３ステップ）。
【００２９】
例えば、所定の範囲内で所定間隔で変更させて複数の変更設定値を設定し、これら複数の変更設定値を用いて上記期間における空調空間の空調設備が消費する消費エネルギーのシミュレーション値を求める。求めた複数のシミュレーション値の中で最小値となるシミュレーション値を求め、このシミュレーション値が得られた変更設定値を採用すればよい。以上のようにして変更設定値を求めたら、ステップＳ４０４で、提示部３０４が、求めた変更設定値を提示する（第４ステップ）。
【００３０】
以上に説明した実施の形態２によれば、設定された将来の期間における最も省エネルギーとなる設定値（変更設定値）が提示されるので、省エネルギーとなる設定値の変更ができるようになる。なお、求められた設定値が自動的に設定されるようにしてもよい。
【００３１】
なお、本発明は以上に説明した実施の形態に限定されるものではなく、本発明の技術的思想内で、当分野において通常の知識を有する者により、多くの変形および組み合わせが実施可能であることは明白である。例えば、空調設備の消費電力量に限らず、熱量などを消費エネルギーとして算出してもよい。また、消費電力および熱量など、異なるエネルギー種別の場合、１次エネルギー換算や、排出二酸化炭素量換算、コスト換算などの方法で統一した評価指標を、消費エネルギー量の代わりに用いるようにしてもよい。
【符号の説明】
【００３２】
１０１…計測値取得部、１０２…第１消費エネルギー算出部、１０３…第２消費エネルギー算出部、１０４…比較部、１０５…提示部。
【図１Ａ】
2016080197.tif 000003
【図２】
2016080197.tif 000004
【図３】
2016080197.tif 000005
【図４】
2016080197.tif 000006
【図１Ｂ】
2016080197.tif 000007